(57)【要約】      （修正有）【課題】全体構造がより簡素化されたマウスアッセンブリを提供する。【解決手段】マウスと、Ｂｌｕｅｔｏｏｔｈ（登録商標）イヤホン３とを備え、マウスは、マウス本体１１と、キャビンカバー１２とを備え、マウス本体内には電池が設けられ、マウス本体の底面には開口を下向きにして電池と接続される充電キャビンが設けられ、イヤホンが充電キャビンに収容され、マウス本体はキャビンカバーをマウス本体の底部に吸着して充電キャビンを覆う。イヤホンはマウス本体内に収容し、紛失しにくく、専用の収容ケースが不要である。また、マウス本体の電池はイヤホンを充電することができ、専用の充電台を配置する必要はない。【選択図】図３
0003229497.tif 000002
【実用新案登録請求の範囲】
【請求項１】
マウス（１）と、Ｂｌｕｅｔｏｏｔｈ（登録商標）イヤホン（３）とを備え、
前記マウス（１）は、マウス本体（１１）と、キャビンカバー（１２）とを備え、前記マウス本体（１１）内には電池が設けられ、前記マウス本体（１１）の底面には開口を下向きにして前記電池と電気的に接続される充電キャビン（１１２）が設けられ、前記Ｂｌｕｅｔｏｏｔｈ（登録商標）イヤホン（３）が充電キャビン（１１２）に収容され、
前記マウス本体（１１）は前記キャビンカバー（１２）を前記マウス本体（１１）の底部に吸着して前記充電キャビン（１１２）を覆うように構成されている、ことを特徴とするマウスアッセンブリ。
【請求項２】
前記マウス（１）は有線マウスであり、前記マウス本体（１１）には、前記電池と電気的に接続される接続線が設けられ、前記接続線の前記マウス本体（１１）から離れた一端にはプラグが設けられる、ことを特徴とする請求項１に記載のマウスアッセンブリ。
【請求項３】
前記マウス（１）は無線マウスであり、前記マウスアッセンブリは、無線受信機（２）をさらに備え、前記マウス本体（１１）の底面には、開口を下向きにして前記無線受信機（２）を収容するための収容キャビン（１１１）がさらに設けられる、ことを特徴とする請求項１に記載のマウスアッセンブリ。
【請求項４】
前記マウス本体（１１）の底部には、二つの充電キャビン（１１２）が設けられ、
前記収容キャビン（１１１）は、前記収容キャビン（１１１）対して対称に設けられる二つの前記充電キャビン（１１２）の間に位置する、ことを特徴とする請求項３に記載のマウスアッセンブリ。
【請求項５】
前記充電キャビン（１１２）の内側壁には、前記電池と電気的に接続される第１の充電接片（１１２１）が設けられ、前記Ｂｌｕｅｔｏｏｔｈ（登録商標）イヤホン（３）の外側壁には、前記第１の充電接片（１１２１）と係合する第２の充電接片が設けられる、ことを特徴とする請求項１に記載のマウスアッセンブリ。
【請求項６】
前記収容キャビン（１１１）の開口において、対向する両側にはそれぞれ逃げ溝（１１１１）が設けられる、ことを特徴とする請求項３に記載のマウスアッセンブリ。
【請求項７】
前記マウス本体（１１）の底部には、収納溝（１１３）が設けられ、前記収容キャビン（１１１）と前記収納溝（１１３）はいずれも前記収納溝（１１３）の溝底に設けられ、前記キャビンカバー（１２）は前記収納溝（１１３）内に安置される、ことを特徴とする請求項３に記載のマウスアッセンブリ。
【請求項８】
前記収納溝（１１３）の溝底には、前記Ｂｌｕｅｔｏｏｔｈ（登録商標）イヤホン（３）の充電状態を指示するための指示ランプ（１１３１）が設けられる、ことを特徴とする請求項７に記載のマウスアッセンブリ。
【請求項９】
前記収納溝（１１３）の溝底および前記キャビンカバー（１２）の両方のうち、一方には、前記キャビンカバー（１２）を前記収納溝（１１３）内に吸着させるための磁気吸着部材が設けられる、ことを特徴とする請求項７に記載のマウスアッセンブリ。
【請求項１０】
前記磁気吸着部材は前記キャビンカバー（１２）に設けられ、前記収納溝（１１３）の溝底には磁気部材（１１３２）が設けられる、ことを特徴とする請求項９に記載のマウスアッセンブリ。
【請求項１１】
前記マウス本体（１１）には、前記電池と電気的に接続される充電インタフェース（１１４）が設けられ、前記充電インタフェース（１１４）は前記マウス本体（１１）に露出する、ことを特徴とする請求項３に記載のマウスアッセンブリ。
【請求項１２】
前記マウス（１）は２．４Ｇ無線マウスであり、前記無線受信機（２）は２．４Ｇ無線マウス信号受信機である、ことを特徴とする請求項３に記載のマウスアッセンブリ。
【考案の詳細な説明】
【技術分野】
【０００１】
本考案はマウスの技術分野に関し、特にマウスアッセンブリに関するものである。
【背景技術】
【０００２】
使い勝手の向上のために、コンピュータを使用する際には、一般的にマウスや無線キーボードが使用され、Ｂｌｕｅｔｏｏｔｈ（登録商標）技術の発展に伴い、Ｂｌｕｅｔｏｏｔｈ（登録商標）イヤホンの利用も広くなってきている。現在市販されているマウスは、有線マウスと、マウスとを含み、機能が単一でユーザの選択性が低い。しかしながら、マウスとＢｌｕｅｔｏｏｔｈ（登録商標）イヤホンを同時に使用する場合、二つの無線受信機が必要であり、また、Ｂｌｕｅｔｏｏｔｈ（登録商標）イヤホンは、別途の充電器でそれを充電する必要があり、マウスとＢｌｕｅｔｏｏｔｈ（登録商標）イヤホンは、様々なアクセサリーが多く必要である。
【０００３】
また、Ｂｌｕｅｔｏｏｔｈ（登録商標）イヤホンが使用されていない場合、それを安置するための安置ケースが別途必要があり、そうしないと、Ｂｌｕｅｔｏｏｔｈ（登録商標）イヤホンが紛失しやすくなる。
【０００４】
そのため、上記の課題を解決するために、差し迫ってマウスアッセンブリを必要とする。
【考案の概要】
【考案が解決しようとする課題】
【０００５】
本考案は、Ｂｌｕｅｔｏｏｔｈ（登録商標）イヤホンに合わせる様々なアクセサリーを削減し、マウスアッセンブリの全体構造をより簡単にするマウスアッセンブリを提供することを目的とする。
【課題を解決するための手段】
【０００６】
この目的を達成するために、本考案は次の技術案を採用する。マウスと、Ｂｌｕｅｔｏｏｔｈ（登録商標）イヤホンとを備え、前記マウスは、マウス本体と、キャビンカバーとを備え、前記マウス本体内には電池が設けられ、前記マウス本体の底面には開口を下向きにして前記電池と電気的に接続される充電キャビンが設けられ、前記Ｂｌｕｅｔｏｏｔｈ（登録商標）イヤホンが充電キャビンに収容され、前記マウス本体は前記キャビンカバーを前記マウス本体の底部に吸着して前記充電キャビンを覆うように構成されている、マウスアッセンブリを提供する。
【０００７】
マウスアッセンブリの好ましい技術案として、前記マウスは有線マウスであり、前記マウス本体には、前記電池と電気的に接続される接続線が設けられ、前記接続線の前記マウス本体から離れた一端にはプラグが設けられる。
【０００８】
マウスアッセンブリの好ましい技術案として、前記マウスは無線マウスであり、前記マウスアッセンブリは、無線受信機をさらに備え、前記マウス本体の底面には、開口を下向きにして前記無線受信機を収容するための収容キャビンがさらに設けられる。
【０００９】
マウスアッセンブリの好ましい技術案として、前記マウス本体の底部には、二つの充電キャビンが設けられ、前記収容キャビンは、前記収容キャビン対して対称に設けられる二つの前記充電キャビンの間に位置する。
【００１０】
マウスアッセンブリの好ましい技術案として、前記充電キャビンの内側壁には、前記電池と電気的に接続される第１の充電接片が設けられ、前記Ｂｌｕｅｔｏｏｔｈ（登録商標）イヤホンの外側壁には、前記第１の充電接片と係合する第２の充電接片が設けられる。
【００１１】
マウスアッセンブリの好ましい技術案として、前記収容キャビンの開口において、対向する両側にはそれぞれ逃げ溝が設けられる。
【００１２】
マウスアッセンブリの好ましい技術案として、前記マウス本体の底部には、収納溝が設けられ、前記収容キャビンと前記収納溝はいずれも前記収納溝の溝底に設けられ、前記キャビンカバーは前記収納溝内に安置される。
【００１３】
マウスアッセンブリの好ましい技術案として、前記収納溝の溝底には、前記Ｂｌｕｅｔｏｏｔｈ（登録商標）イヤホンの充電状態を指示するための指示ランプが設けられる。
【００１４】
マウスアッセンブリの好ましい技術案として、前記収納溝の溝底および前記キャビンカバーの両方のうち、一方には、前記キャビンカバーを前記収納溝内に吸着させるための磁気吸着部材が設けられる。
【００１５】
マウスアッセンブリの好ましい技術案として、前記磁気吸着部材は前記キャビンカバーに設けられ、前記収納溝の溝底には磁気部材が設けられる。
【００１６】
マウスアッセンブリの好ましい技術案として、前記マウス本体には、前記電池と電気的に接続される充電インタフェースが設けられ、前記充電インタフェースは前記マウス本体に露出する。
【００１７】
マウスアッセンブリの好ましい技術案として、前記マウスは２．４Ｇ無線マウスであり、前記無線受信機は２．４Ｇ無線マウス信号受信機である。
【考案の効果】
【００１８】
本考案は、次のような有益な効果がある。Ｂｌｕｅｔｏｏｔｈ（登録商標）イヤホンはマウス本体内に収容し、紛失しにくく、専用の収容ケースが不要である。マウス本体には充電キャビンが設けられ、マウス本体の電池はＢｌｕｅｔｏｏｔｈ（登録商標）イヤホンを充電することができ、専用の充電台を配置する必要はない。該マウスアッセンブリは、Ｂｌｕｅｔｏｏｔｈ（登録商標）イヤホンに合わせる様々なアクセサリーを削減し、マウスアッセンブリの全体構造をより簡単にする。
【図面の簡単な説明】
【００１９】
【図１】本考案の実施例１に係るマウスアッセンブリの第１の視角の構造模式図である。
【図２】本考案の実施例１に係るマウスアッセンブリの第２の視角の構造模式図である。
【図３】本考案の実施例１に係るマウスアッセンブリの構造分解模式図である。
【図４】本考案の実施例１に係るマウス本体の構造模式図である。
【図５】本考案の実施例１に係るキャビンカバーの構造模式図である。
【図６】本考案の実施例２に係るマウスアッセンブリの第１の視角の構造模式図である。
【図７】本考案の実施例２に係るマウスアッセンブリの第２の視角の構造模式図である。
【図８】本考案の実施例２に係るマウスアッセンブリの構造分解模式図である。
【図９】本考案の実施例２に係るマウス本体の構造模式図である。
【図１０】本考案の実施例２に係るキャビンカバーの構造模式図である。
【考案を実施するための形態】
【００２０】
本考案の実施例の目的、技術案、利点をより明確にするために、以下、本考案の実施例における図面を参照しながら本考案の実施例における技術案を明瞭かつ完全に説明し、記載された実施例は、本考案の一部の実施例に過ぎず、本考案の全ての実施例ではないことが明らかである。本明細書の図面に一般的に説明され、示された本考案の実施例におけるアッセンブリは、様々な異なる構成で配置され、設計されることが可能である。
【００２１】
従って、以下、図面に係る本考案の実施例について詳細な説明は、本考案の登録請求の範囲を限定するものではなく、本考案の選択された実施例のみを示すものである。本考案における実施例に基づき、当業者が創造的な労力を払わずに想到し得る全ての他の実施例は、いずれも本考案の登録請求の範囲に属するものである。
【００２２】
以下の図面において、類似の符号又はアルファベットは類似の部分を示すことを注意すべきであり、そのため、ある一項が一つの図面において定義されると、次の図面においてそれをさらに定義し解釈する必要がない。
【００２３】
なお、本考案の説明において、用語「上」、「下」、「左」、「右」、「鉛直」、「水平」、「内」、「外」などが指示する方位や位置関係は、図面に示した方位や位置関係に基づくこと、又は該考案の製品が使用される際に慣例的に並べられている方位や位置関係であり、これらは、単に本考案の説明及び簡単に説明するためであり、示される装置又は素子が必ず特定の方位を有し、特定の方位で構造及び操作することを指示又は示唆するものではないので、本考案を限定するものと理解すべきない。また、用語「第１」、「第２」、「第３」などは、単に説明を区別するためだけに使用され、相対的な重要性を指示又は示唆するものと理解すべきない。本考案の説明において、特に断りのない限り、「複数」の意味は、２つ又は２つ以上である。
【００２４】
なお、本考案の説明において、特に明確な規定と限定がない限り、用語「設ける」、「接続」は広義の理解をすべきであり、例えば固定接続であってもよいし、着脱可能な接続であってもよいし、一体的な接続であってもよく、機械的な接続であってもよいし、電気的な接続であってもよく、直接的な接続であってもよい。当業者にとって、具体的な状況に応じて上記用語の本考案における具体的な意味を理解することができる。
【００２５】
本考案では、特に明確な規定と限定がない限り、第１の特徴が第２の特徴の「上」又は「下」にあることは、第１と第２の特徴が直接に接触することを含んでもよいし、第１と第２の特徴は、直接に接触することではなく、それらの間の別の特徴によって接触することを含んでもよい。そして、第１の特徴が第２の特徴の「上」、「上方」、「上面」にあることは、第１の特徴が第２の特徴の真上と斜め上にあることを含み、又は単に第１の特徴の水平高さが第２の特徴より高いことを示す。第１の特徴が第２の特徴の「下」、「下方」、「下面」にあることは、第１の特徴が第２の特徴のすぐ下と斜め下にあることを含み、又は単に第１の特徴の水平高さが第２の特徴より低いことを示す。
【００２６】
以下、本考案の実施例を詳細に説明し、前記実施例の例示は、図面に示され、一貫な同一又は類似の符号は、同一又は類似の素子を示し、あるいは同一又は類似の機能を有する素子を示す。以下、図面を参照しながら説明された実施例は例示的なものであり、本考案を解釈するためのものだけであり、本考案を限定するものと理解すべきではない。
【００２７】
実施例１
図１〜図５に示すように、本実施例は、マウス１と、Ｂｌｕｅｔｏｏｔｈ（登録商標）イヤホン３とを備え、マウス１は、マウス本体１１と、キャビンカバー１２とを備え、マウス本体１１内には電池が設けられ、マウス本体１１の底面には開口を下向きにして電池と電気的に接続される充電キャビン１１２が設けられ、Ｂｌｕｅｔｏｏｔｈ（登録商標）イヤホン３が充電キャビン１１２に収容され、マウス本体１１はキャビンカバー１２をマウス本体１１の底部に吸着して充電キャビン１１２を覆うように構成されている、マウスアッセンブリを開示する。
【００２８】
好ましくは、本実施例におけるマウス１は有線マウスであり、マウス本体１１には、接続線（図示せず）が設けられ、接続線のマウス本体１１から離れた一端にはプラグが設けられ、プラグは、マウス１をコンピュータに接続するように、コンピュータに挿入されることができる。電池は接続線に接続され、コンピュータは、接続線と充電キャビン１１２を介して電池を充電することができ、電池はＢｌｕｅｔｏｏｔｈ（登録商標）イヤホン３を充電できるようになっている。
【００２９】
Ｂｌｕｅｔｏｏｔｈ（登録商標）イヤホン３はマウス本体１１内に収容し、紛失しにくく、専用の収容ケースが不要であり、マウス本体１１に充電キャビン１１２が設けられ、マウス本体１１の電池はＢｌｕｅｔｏｏｔｈ（登録商標）イヤホン３を充電することができ、専用の充電台を配置する必要はない。該マウスアッセンブリは、Ｂｌｕｅｔｏｏｔｈ（登録商標）イヤホン３に合わせる様々なアクセサリーを削減し、マウスアッセンブリの全体構造をより簡単にする。
【００３０】
具体的には、マウス本体１１の底部には、二つの充電キャビン１１２が設けられ、Ｂｌｕｅｔｏｏｔｈ（登録商標）イヤホン３は二つであり、それぞれ二つの充電キャビン１１２内に安置されている。充電キャビン１１２の内側壁には、電池と電気的に接続される第１の充電接片１１２１が設けられ、Ｂｌｕｅｔｏｏｔｈ（登録商標）イヤホン３の外側壁には、第１の充電接片１１２１と係合する第２の充電接片が設けられ、マウス本体１１内の電池は、第１の充電接片１１２１と第２の充電接片を介してＢｌｕｅｔｏｏｔｈ（登録商標）イヤホン３に充電することができる。具体的には、充電キャビン１１２の内壁には、三つの第１の充電接片１１２１が設けられ、Ｂｌｕｅｔｏｏｔｈ（登録商標）イヤホン３には、三つの第２の充電接片が合わせて設けられる。第１の充電接片１１２１が弾性的に設けられることにより、第１の充電接片１１２１と第２充電接片との接触を良好に保つことができ、接触不良を回避することができる。
【００３１】
充電キャビン１１２内に、Ｂｌｕｅｔｏｏｔｈ（登録商標）イヤホン３を吸着するための磁石や鉄片などが設けられ、Ｂｌｕｅｔｏｏｔｈ（登録商標）イヤホン３が充電キャビン１１２内に安置されている場合、Ｂｌｕｅｔｏｏｔｈ（登録商標）イヤホン３における磁石と、充電キャビン１１２内における磁石や鉄片とは互いに吸着することができ、Ｂｌｕｅｔｏｏｔｈ（登録商標）イヤホン３が充電キャビン１１２内に吸着され、自ら脱落しないようになっている。使用する必要がある場合には、取り出しも便利である。
【００３２】
マウス本体１１の底部には、収納溝１１３が設けられ、キャビンカバー１２は収納溝１１３内に安置されて、キャビンカバー１２の外面がマウス本体１１の底面と面一になるか、またはマウス本体１１内へ凹んで設けられる。このようにすると、キャビンカバー１２がマウス本体１１の底面から突出しないように設けることができ、マウス本体１１の底面の比較的滑らかさを確保して、マウスを使用する時に比較的スムーズにする。キャビンカバー１２の内面の縁にはフランジ１２２が設けられ、フランジ１２２は収納溝１１３の溝底に押し当てられ、キャビンカバー１２の内面が溝底に間隔をあけて設けられようにして、キャビンカバー１２がＢｌｕｅｔｏｏｔｈ（登録商標）イヤホン３に接触することを効果的に回避できる。
【００３３】
収納溝１１３の溝底およびキャビンカバー１２の両方のうち、一方には、キャビンカバー１２をマウス本体１１の収納溝内に吸着させるための磁気吸着部材が設けられ、キャビンカバー１２がマウス本体１１に固定され、Ｂｌｕｅｔｏｏｔｈ（登録商標）イヤホン３が脱落しないようになっている。具体的には、キャビンカバー１２の内面には位置決め突起１２１が設けられ、磁気吸着部材が位置決め突起１２１内に埋設され、収納溝１１３の溝底には、磁気吸着部材に合わせる磁気部材１１３２が設けられ、磁気部材１１３２は、具体的には磁石や鉄である。磁気部材は、収納溝１１３の溝底に埋設され、露出して設けられてもよいし、溝底には完全に埋設されてもよい。もちろん、収納溝１１３の溝底に接着で取り付けられてもよい。本実施例において、磁気部材１１３２は、具体的には円柱状の磁石であり、予め埋設されたようにして収納溝１１３の溝底に固定されている。磁気部材１１３２は位置決め突起１２１に対応して設けられ、キャビンカバー１２を係合する際に、位置決め突起１２１を磁気吸着部材１１３２に位置させて、磁気部材は磁気吸着部材とを互いに磁気吸着させて、キャビンカバー１２が収納溝１１３内に固定されるようにする。
【００３４】
収納溝１１３の溝底には、Ｂｌｕｅｔｏｏｔｈ（登録商標）イヤホン３の充電状態を指示するための指示ランプ１１３１が設けられ、指示ランプ１１３１は赤色に表示されると、充電中であることを示し、指示ランプ１１５は緑色に表示されると、Ｂｌｕｅｔｏｏｔｈ（登録商標）イヤホン３の充電が完了したことを示す。キャビンカバー１２は、少なくとも指示ランプ１１３１に対応する位置で透明に設けられ、又は指示ランプ１１３１に対応する位置に透光孔が設けられる。キャビンカバー１２は透明に設けられ、又はキャビンカバー１２に透光孔が設けられることで、キャビンカバー１２を開かずに充電状態を観察することができ、便利である。
【００３５】
実施例２
図６〜図１０に示すように、本実施例は、マウス１と、無線受信機２と、Ｂｌｕｅｔｏｏｔｈ（登録商標）イヤホン３とを備えるマウスアッセンブリを開示する。
【００３６】
マウス１は無線受信機２と信号接続され、具体的には、マウス１は２．４Ｇ無線マウスであり、無線受信機２は２．４Ｇ無線マウス信号受信機であり、無線受信機２は、コンピュータに挿入され、マウス１は無線受信機２を介してコンピュータと信号接続され、コンピュータに命令を送信する。２．４Ｇ無線伝送技術は、ほぼ全ての型番のコンピュータをサポートし、無線接続の距離は１０メートルに達することができ、Ｂｌｕｅｔｏｏｔｈ（登録商標）やＷｉＦｉの干渉を有効に回避することができ、移動自在にして伝送を安定化させるとともに、線材の引っ掛かりの煩わしさを回避することができる。
【００３７】
マウス１は、マウス本体１１と、キャビンカバー１２とを備え、マウス本体１１内には電池が設けられ、マウス本体１１の底面には、開口を下向きにする収容キャビン１１１と、電池と電気的に接続される充電キャビン１１２とが設けられる。収容キャビン１１１は、無線受信機２に合わせて設けられ、無線受信機２を収容するために用いられる。充電キャビン１１２は、Ｂｌｕｅｔｏｏｔｈ（登録商標）イヤホン３に合わせて設けられ、Ｂｌｕｅｔｏｏｔｈ（登録商標）イヤホン３を収容し、Ｂｌｕｅｔｏｏｔｈ（登録商標）イヤホン３を充電するために用いられる。マウス本体１１は、キャビンカバー１２をマウス本体１１の底部に吸着させ、収容キャビン１１１および充電キャビン１１２を覆うように構成されている。
【００３８】
Ｂｌｕｅｔｏｏｔｈ（登録商標）イヤホン３と無線受信機２は、いずれもマウス本体１１内に収容することができ、Ｂｌｕｅｔｏｏｔｈ（登録商標）イヤホン３と無線受信機２は紛失しにくく、専用の収容ケースが不要である。マウス本体１１には充電キャビン１１２が設けられ、マウス本体１１の電池はＢｌｕｅｔｏｏｔｈ（登録商標）イヤホン３を充電することができ、専用の充電台を配置する必要はなく、また、電池はマウス１に電力を供給する。該マウスアッセンブリは、マウス１とＢｌｕｅｔｏｏｔｈ（登録商標）イヤホン３に合わせる様々なアクセサリーを削減し、マウスアッセンブリの全体構造をより簡単にする。
【００３９】
具体的には、マウス本体１１の底部には、二つの充電キャビン１１２が設けられ、Ｂｌｕｅｔｏｏｔｈ（登録商標）イヤホン３は二つであり、それぞれ二つの充電キャビン１１２内に安置されている。充電キャビン１１２は傾斜して設けられ、収容キャビン１１１は、二つの充電キャビン１１２の間に位置して、二つの充電キャビン１１２は、収容キャビン１１１に対して対称に設けられる。充電キャビン１１２の内側壁には、電池と電気的に接続される第１の充電接片１１２１が設けられ、Ｂｌｕｅｔｏｏｔｈ（登録商標）イヤホン３の外側壁には、第１の充電接片１１２１と係合する第２の充電接片が設けられ、マウス本体１１内の電池が第１の充電接片１１２１と第２の充電接片を介してＢｌｕｅｔｏｏｔｈ（登録商標）イヤホン３を充電することができる。具体的には、充電キャビン１１２の内壁には、三つの第１の充電接片１１２１が設けられ、Ｂｌｕｅｔｏｏｔｈ（登録商標）イヤホン３には、三つの第２の充電接片が合わせて設けられる。第１の充電接片１１２１が弾性的に設けられることにより、第１の充電接片１１２１と第２充電接片との接触を良好に保つことができ、接触不良を回避することができる。
【００４０】
充電キャビン１１２内に、Ｂｌｕｅｔｏｏｔｈ（登録商標）イヤホン３を吸着するための磁石や鉄片などが設けられ、Ｂｌｕｅｔｏｏｔｈ（登録商標）イヤホン３が充電キャビン１１２内に安置されている場合、Ｂｌｕｅｔｏｏｔｈ（登録商標）イヤホン３における磁石と、充電キャビン１１２内における磁石や鉄片とは互いに吸着することができ、Ｂｌｕｅｔｏｏｔｈ（登録商標）イヤホン３が充電キャビン１１２内に吸着され、自ら脱落しないようになっている。使用する必要がある場合には、取り出しも便利である。
【００４１】
収容キャビン１１１内にも磁石や鉄片など設けられ、無線受信機を収容キャビン１１１内に吸着することができる。収容キャビン１１１の開口において、左右両側にはいずれも逃げ溝１１１１が設けられ、無線受信機を取り出す際に、指を入れて無線受信機を取り出しやすくなる。
【００４２】
マウス本体１１の底部には、収納溝１１３が設けられ、キャビンカバー１２は収納溝１１３内に安置されて、キャビンカバー１２の外面がマウス本体１１の底面と面一になるか、またはマウス本体１１内へ凹んで設けられる。このようにすると、キャビンカバー１２がマウス本体１１の底面から突出しないように設けることができ、マウス本体１１の底面の比較的滑らかさを確保して、マウスを使用する時に比較的スムーズにする。キャビンカバー１２の内面の縁にはフランジ１２２が設けられ、フランジ１２２は収納溝１１３の溝底に押し当てられ、キャビンカバー１２の内面が溝底に間隔をあけて設けられようにして、キャビンカバー１２がＢｌｕｅｔｏｏｔｈ（登録商標）イヤホン３や無線受信機２に接触することを効果的に回避できる。
【００４３】
収納溝１１３の溝底およびキャビンカバー１２の両方のうち、一方には、キャビンカバー１２をマウス本体１１の収納溝内に吸着させるための磁気吸着部材が設けられ、キャビンカバー１２がマウス本体１１に固定され、Ｂｌｕｅｔｏｏｔｈ（登録商標）イヤホン３が脱落しないようになっている。具体的には、キャビンカバー１２の内面には位置決め突起１２１が設けられ、磁気吸着部材が位置決め突起１２１内に埋設され、収納溝１１３の溝底には、磁気吸着部材に合わせる磁気部材１１３２が設けられ、磁気部材１１３２は、具体的には磁石や鉄である。磁気部材は収納溝１１３の溝底に埋設され、露出して設けられてもよいし、溝底には完全に埋設されてもよい。もちろん、収納溝１１３の溝底に接着で取り付けられてもよい。本実施例において、磁気部材１１３２は、具体的には円柱状の磁石であり、予め埋設されたようにして収納溝１１３の溝底に固定されている。磁気部材１１３２は位置決め突起１２１に対応して設けられ、キャビンカバー１２を係合する際に、位置決め突起１２１を磁気吸着部材１１３２に位置させて、磁気部材は磁気吸着部材とを互いに磁気吸着させて、キャビンカバー１２が収納溝１１３内に固定されるようにする。
【００４４】
収納溝１１３の溝底には、Ｂｌｕｅｔｏｏｔｈ（登録商標）イヤホン３の充電状態を指示するための指示ランプ１１３１が設けられ、指示ランプ１１３１は赤色に表示されると、充電中であることを示し、指示ランプ１１５は緑色に表示されると、Ｂｌｕｅｔｏｏｔｈ（登録商標）イヤホン３の充電が完了したことを示す。キャビンカバー１２は、少なくとも指示ランプ１１３１に対応する位置で透明に設けられ、又は指示ランプ１１３１に対応する位置に透光孔が設けられる。キャビンカバー１２は透明に設けられ、又はキャビンカバー１２に透光孔が設けられることで、キャビンカバー１２を開かずに充電状態を観察することができ、便利である。
【００４５】
マウス本体１１には、電池と電気的に接続される充電インタフェース１１４が設けられ、充電インタフェース１１４は、マウス本体１１に露出して設けられ、外部電源を接続して電池を充電するために用いられる。本実施例における充電インタフェース１１４はＴｙｐｅ−Ｃインタフェースであり、該インタフェースは、構造の体積が小さく、マウス本体１１に設けやすく、構造汎用性が強く、データ線を選択してマウス本体１１を充電するのに便利である。
【００４６】
本考案の上記実施例は、単に本考案を明確に説明するために例示したものであり、本考案の実施形態を限定するものではないことが明らかである。当業者にとって、上記説明に基づいて、他の異なる形態の変化や変動を加えることも可能である。ここで必ずしも全ての実施形態を網羅するわけではない。本考案の精神と原則の範囲内で行われるいかなる修正、同等の置換及び改善などは、いずれも本考案の登録請求の範囲の保護範囲内に含まれるべきである。
【符号の説明】
【００４７】
１  マウス
１１  マウス本体
１１１  収容キャビン
１１１１  逃げ溝
１１２  充電キャビン
１１２１  第１の充電接片
１１３  収納溝
１１３１  指示ランプ
１１３２  磁気部材
１１４  充電インタフェース
１２  キャビンカバー
１２１  位置決め突起
１２２  フランジ
２  無線受信機
３  Ｂｌｕｅｔｏｏｔｈ（登録商標）イヤホン
【図１】
0003229497.tif 000003
【図２】
0003229497.tif 000004
【図３】
0003229497.tif 000005
【図４】
0003229497.tif 000006
【図５】
0003229497.tif 000007
【図６】
0003229497.tif 000008
【図７】
0003229497.tif 000009
【図８】
0003229497.tif 000010
【図９】
0003229497.tif 000011
【図１０】
0003229497.tif 000012